(57)【特許請求の範囲】
【請求項１】
互いに連結される一対のフレーム付ネットと、
一方のフレーム付ネットの周縁と他方のフレーム付ネットの周縁との間の開口を開閉するファスナーとを備え、
そのフレーム付ネットは、ネット本体と、このネット本体の周縁に取り付けられる可撓性パイプ状部材と、そのパイプ状部材に覆われる金属製の環状部材とを備え、
その環状部材は線状部材の両端を互いに連結することで構成され、
そのパイプ状部材が合成樹脂製とされ、
前記開口をファスナーにより閉鎖することで、両フレーム付ネットの間に収納される洗濯物を挟み込み可能とされ、
その環状部材が弾性変形した状態で洗濯槽の内周に押し付けられることで、そのフレーム付ネットの洗濯槽に対する相対変位が規制可能とされている洗濯用補助具。
【請求項２】
そのパイプ状部材が弾性的に曲げ変形可能とされている請求項１に記載の洗濯用補助具。
【請求項３】
互いに連結される一対のフレーム付ネットと、
一方のフレーム付ネットの周縁と他方のフレーム付ネットの周縁との間の開口を開閉するファスナーとを備え、
そのフレーム付ネットは、ネット本体と、このネット本体の周縁に取り付けられる可撓性パイプ状部材と、そのパイプ状部材に覆われる金属製の環状部材とを備え、
その環状部材は線状部材の両端を互いに連結することで構成され、
そのパイプ状部材により合成樹脂製インナーパイプが覆われ、
そのインナーパイプにより上記環状部材が覆われ、
前記開口をファスナーにより閉鎖することで、両フレーム付ネットの間に収納される洗濯物を挟み込み可能とされ、
その環状部材が弾性変形した状態で洗濯槽の内周に押し付けられることで、そのフレーム付ネットの洗濯槽に対する相対変位が規制可能とされている洗濯用補助具。
【請求項４】
そのインナーパイプが弾性的に曲げ変形可能とされている請求項３に記載の洗濯用補助具。
【発明の詳細な説明】
【０００１】
【発明の属する技術分野】
本発明は、フレーム付ネットにより構成される洗濯用補助具に関する。
【０００５】
【従来の技術と発明が解決しようとする課題】
一対のフレーム付ネットにより、洗濯機の洗濯槽の内部において洗濯物を挟み込む洗濯用補助具を構成することで、洗濯物の型崩れを防止することができる。しかし、ネット本体の周縁に取り付けられる可撓性パイプ状部材が破れることで、パイプ状部材に覆われる金属製の環状部材が露出すると、その環状部材との摩擦により洗濯物や洗濯槽が傷むという問題がある。また、その環状部材が塑性変形すると、一対のフレーム付ネットは洗濯物を均一に挟み込むことができなくなり、洗濯物の型崩れを十分に防止することができなくなる。
【０００６】
本発明は、上記問題を解決することのできる洗濯用補助具を提供することを目的とする。
【０００７】
【課題を解決するための手段】
本発明の洗濯用補助具は、互いに連結される一対のフレーム付ネットと、一方のフレーム付ネットの周縁と他方のフレーム付ネットの周縁との間の開口を開閉するファスナーとを備え、前記開口をファスナーにより閉鎖することで、両フレーム付ネットの間に収納される洗濯物を挟み込み可能とされ、その環状部材が弾性変形した状態で洗濯槽の内周に押し付けられることで、そのフレーム付ネットの洗濯槽に対する相対変位が規制可能とされている。そのフレーム付ネットは、ネット本体と、このネット本体の周縁に取り付けられる可撓性パイプ状部材と、そのパイプ状部材に覆われる金属製の環状部材とを備え、その環状部材は線状部材の両端を互いに連結することで構成されている。そのパイプ状部材が合成樹脂製とされるか、または、そのパイプ状部材により合成樹脂製インナーパイプが覆われ、そのインナーパイプにより上記環状部材が覆われる。
その合成樹脂製パイプ状部材や合成樹脂製インナーパイプは、布製のパイプ状部材に比べて、摩擦係数を小さくできる。よって、その環状部材を覆うパイプ状部材の材質を合成樹脂とすることで、あるいは、そのパイプ状部材により覆う合成樹脂製インナーパイプにより環状部材を覆うことで、パイプ状部材が環状部材との摩擦により破れるのを防止できる。また、その環状部材を構成する線状部材を、その合成樹脂製パイプ状部材に挿通する際、あるいは、その合成樹脂製インナーパイプに挿通する際、その線状部材とパイプ状部材との間の摩擦、あるいは、その線状部材とインナーパイプとの間の摩擦を低減し、組み立て時の生産性を向上できる。フレーム付ネットを構成する環状部材がパイプ状部材から露出するのを防止できるので、その環状部材との摩擦により洗濯物や洗濯槽が傷むのを防止できる。また、その環状部材の塑性変形を防止することで、洗濯物の型崩れを十分に防止できる。その洗濯用補助具が洗濯槽で水流により動き回るのを阻止できるので、洗濯物の型崩れをより効果的に防止できる。さらに、その環状部材が弾性変形した状態でフレーム付ネットは洗濯槽の内周に押し付けられるので、その洗濯槽と環状部材との間の摩擦を大きくし、洗濯用補助具の洗濯槽に対する相対変位を確実に防止できる。
【０００８】
そのパイプ状部材が弾性的に曲げ変形可能とされているのが好ましい。あるいは、そのインナーパイプが弾性的に曲げ変形可能とされているのが好ましい。
これにより、環状部材を変形させる曲げモーメントや曲げ力が作用した場合、そのパイプ状部材あるいはインナーパイプが弾性変形することで、その曲げモーメントや曲げ力を吸収し、その環状部材が塑性変形するのを防止し、フレーム付ネットを一定の形状に保つことができる。
【００１１】
【発明の実施の形態】
以下、図１〜図９を参照して本発明の第１実施形態を説明する。
【００１２】
図１、図２に示す洗濯用補助具１は、一対の平板状フレーム付ネット２ａ、２ｂと、一方のフレーム付ネット２ａの周縁と他方のフレーム付ネット２ｂの周縁との間の開口を開閉するファスナー３とを備え、両フレーム付ネット２ａ、２ｂの間が洗濯物１０の収納空間を構成する。
【００１３】
各フレーム付ネット２ａ、２ｂは、ネット本体４ａ、４ｂと、このネット本体４ａ、４ｂの周縁に取り付けられる可撓性パイプ状部材６ａ、６ｂと、各パイプ状部材６ａ、６ｂに覆われる金属製の環状部材５ａ、５ｂとを有する。
【００１４】
各ネット本体４ａ、４ｂは折り畳み可能なもので、柔軟性を有する例えば合成樹脂製の繊維から編み上げられる。なお、各ネット本体４ａ、４ｂの網目の形状や構造は特に限定されない。
【００１５】
各パイプ状部材６ａ、６ｂは合成樹脂製で、弾性的に曲げ変形可能とされている。図３に示すように、本実施形態では、各パイプ状部材６ａ、６ｂは、合成樹脂製のテープを筒状にすることで形成され、その長手方向に沿う両縁部が、ネット本体４ａ、４ｂの周縁に縫い付けられることで一体化されている。各パイプ状部材６ａ、６ｂの材料となる合成樹脂として、例えば、ポリエステルやナイロン等を用いることができる。
【００１６】
各環状部材５ａ、５ｂは、断面矩形の金属製線状部材の両端を互いに連結することで構成されている。すなわち、まず各環状部材５ａ、５ｂを構成する線状部材をネット本体４ａ、４ｂの外周に縫い付けられたパイプ状部材６ａ、６ｂに挿通する。この際、その線状部材と後記の連結具３１のかしめが可能なように、パイプ状部材６ａ、６ｂの両縁部の一部分は、ネット本体４ａ、４ｂの外周に縫い付けずにおく。次に、図４の（１）に示すような金属製の筒状連結具３１を、図４の（２）に示すように各線状部材の両端に挿入する。次に、図４の（３）に示すように連結具３１の外周をかしめることで線状部材の両端を互いに連結する。しかる後に、パイプ状部材６ａ、６ｂの両縁部の一部分をネット本体４ａ、４ｂの外周に縫い付ける。
【００１７】
その筒状連結具３１に代えて、図５の（１）の変形例に示すような金属製の樋状連結具３２を用いてもよい。その連結具３２は、底壁３２ａと、この底壁３２ａの一側に連なる第１側壁３２ｂと、その底壁３２ａの他側に連なる第２側壁３２ｃとを有する。その第１側壁３２ｂの高さは第２側壁３２ｃの高さよりも高くされている。図５の（２）に示すように、その底壁３２ａ上に各環状部材５ａ、５ｂを構成する線状部材の両端を配置し、両側壁３２ｂ、３２ｃを折り畳み、その線状部材の両端を底壁３２ａと両側壁３２ｂ、３２ｃとで挟み込むことで、環状部材５ａ、５ｂの両端は連結される。
【００１８】
その連結具３１、３２を構成する金属としては、例えばステンレス鋼やアルミニウムを用いることができるが、特に限定されない。また、その線状部材の両端の連結方法も特に限定されない。また、各環状部材５ａ、５ｂを構成する線状部材の断面は矩形に限定されず、例えば、図６の変形例に示すように矩形の角を円弧状にした形状や、円形、楕円形、半丸形等であってもよい。
【００１９】
図７に示すように、そのファスナー３は、一対のテープ３ａ、３ｂと、各テープ３ａ、３ｂの長手方向に沿う一側縁に並列状に設けられる歯３ｃ、３ｄと、スライダー３ｅと、そのスライダー３ｅに取り付けられる摘み３ｆとから構成されている。
【００２０】
両テープ３ａ、３ｂは可撓性を有するもので、例えば布製とされる。そのスライダー３ｅは、一方のテープ３ａの歯３ｃと他方のテープ３ｂの歯３ｄとの噛み合い及び噛み合い解除を行うことができるように、両テープ３ａ、３ｂに相対移動可能に接続される。
【００２１】
図２に示すように、一方のテープ３ａの一端と他方のテープ３ｂの一端とは、スライダー３ｅの移動のストッパーを兼用する連結具３ｈを介して互いに接続される。各テープ３ａ、３ｂの他端には、それぞれスライダー３ｅの移動のストッパー３ｉ、３ｊが取り付けられている。
【００２２】
図３に示すように、一方のテープ３ａの他側縁は、一方のフレーム付ネット２ａに縫い付けられた上記パイプ状部材６ａに縫い付けられることで、一方のフレーム付ネット２ａに周縁に沿って連結される。他方のテープ３ｂの他側縁は、他方のフレーム付ネット２ｂに縫い付けられた上記パイプ状部材６ｂに縫い付けられることで、他方のフレーム付ネット２ｂに周縁に沿って連結される。
【００２３】
一方のフレーム付ネット２ａに連結される一方のテープ３ａと、他方のフレーム付ネット２ｂに連結される他方のテープ３ｂとが、スライダー３ｅと連結具３ｈとを介して連結されることで、両フレーム付ネット２ａ、２ｂは互いに連結される。
【００２４】
上記構成において、スライダー３ｅの一方向への移動により一方のテープ３ｂ側の歯３ｃと他方のテープ３ｂ側の歯３ｄとを互いに噛み合わせることで、一方のフレーム付ネット２ａの周縁と他方のフレーム付ネット２ｂの周縁との間の開口を閉鎖できる。その開口の閉鎖により、両フレーム付ネット２ａ、２ｂの間の収納空間に収納された洗濯物１０を、両ネット本体４ａ、４ｂにより挟み込むことができる。また、そのスライダー３ｅの他方向への移動により、一方のテープ３ｂ側の歯３ｃと他方のテープ３ｂ側の歯３ｄとの間の噛み合わせを解除することで、その開口を開いて収納空間から洗濯物１０を取り出すことができる。
【００２５】
図８の（１）〜（４）に示すように、洗濯機の洗濯槽２０の内部において、上記一対のネット本体４ａ、４ｂにより洗濯物１０を挟み込んだフレーム付ネット２ａ、２ｂの洗濯槽２０に対する相対変位が規制可能とされている。すなわち、図８の（１）では、洗濯槽２０の内周寸法とフレーム付ネット２ａ、２ｂの外周寸法が略一致し、上記環状部材５ａ、５ｂは僅かに弾性変形した状態で洗濯槽２０の内周に押し付けられる。図８の（２）では、洗濯槽２０の内周寸法よりもフレーム付ネット２ａ、２ｂの外周寸法が大きく、上記環状部材５ａ、５ｂは上面が凸曲面となるように弾性変形した状態で洗濯槽２０の内周に押し付けられる。図８の（３）では、洗濯槽２０の内周寸法よりもフレーム付ネット２ａ、２ｂの外周寸法が大きく、上記環状部材５ａ、５ｂは水平に対し傾斜すると共に僅かに弾性変形した状態で洗濯槽２０の内周に押し付けられる。図８の（４）では、洗濯槽２０の内周寸法よりもフレーム付ネット２ａ、２ｂの外周寸法が大きく、上記環状部材５ａ、５ｂは下面が凸曲面となるように弾性変形した状態で洗濯槽２０の内周に押し付けられる。何れの場合も、その洗濯槽２０と環状部材５ａ、５ｂとの間の摩擦によりフレーム付ネット２ａ、２ｂの洗濯槽２０に対する相対変位が規制される。
【００２６】
その洗濯物１０をネット本体４ａ、４ｂにより挟み込んだフレーム付ネット２ａ、２ｂの洗濯槽２０に対する相対変位を規制することで、洗濯時にパルセータ２１が回転することで旋回する水流が生じても、その洗濯槽２０内で洗濯用補助具１が動き回るのを阻止できる。これにより、そのネット本体４ａ、４ｂに挟み込まれた洗濯物１０の型崩れを充分に防止できる。また、洗濯物１０を傷つけないためにネット本体４ａ、４ｂとして柔軟性に富むものを用いた場合に、各ネット本体４ａ、４ｂよりも剛性の大きな環状部材５ａ、５ｂを洗濯槽２０の内周に押し付けることで、その洗濯槽２０と環状部材５ａ、５ｂとの間の摩擦によりネット本体４ａ、４ｂの洗濯槽２０に対する相対変位を規制できる。さらに、その環状部材５ａ、５ｂは弾力により洗濯槽２０の内周に押し付けられるので、その洗濯槽２０と環状部材５ａ、５ｂとの間の摩擦を大きくし、ネット本体４ａ、４ｂの洗濯槽２０に対する相対変位を確実に規制できる。
【００２７】
その環状部材５ａ、５ｂは、弾性的に曲げ及び捩れ可能とされている。また、上記のように各ネット本体４ａ、４ｂは折り畳み可能である。これにより、洗濯用補助具１をコンパクトに収納することができる。例えば図９に示すように、環状部材５ａ、５ｂを曲げると共に捩ることで、図中の各点ａ、ｂ、ｃ、ｄの位置を図示の矢印で示す順序で変化させ、あたかも３つの円が重なった状態にすることができるので、未使用時の収納、運送や販売に際してのスペースを低減できる。特に、その環状部材５ａ、５ｂを上記実施形態のように断面が偏平な線状部材により構成する場合、その３つの円が重なった状態を、収納袋等に入れたり紐等で固定することなく維持できるので、その状態を維持するために他の部材を用いる必要性をなくせる。
【００２８】
上記構成によれば、環状部材５ａ、５ｂを覆うパイプ状部材６ａ、６ｂの材質を合成樹脂とすることで、布製のパイプ状部材により環状部材を直接に覆うのに比べて、パイプ状部材６ａ、６ｂが環状部材５ａ、５ｂとの摩擦により破れるのを防止できる。これにより、その環状部材５ａ、５ｂが露出するのを防止できるので、その環状部材５ａ、５ｂとの摩擦により洗濯物１０や洗濯槽２０が傷むのを防止できる。また、その環状部材５ａ、５ｂを構成する線状部材を、その合成樹脂製パイプ状部材６ａ、６ｂに挿通する際、その線状部材とパイプ状部材６ａ、６ｂとの間の摩擦を低減し、組み立て時の生産性を向上できる。
また、そのパイプ状部材６ａ、６ｂが弾性的に曲げ変形可能とされているので、環状部材５ａ、５ｂを変形させる曲げモーメントや曲げ力が作用した場合、そのパイプ状部材６ａ、６ｂが弾性変形することで、その曲げモーメントや曲げ力を吸収し、環状部材５ａ、５ｂが塑性変形するのを防止し、フレーム付ネット２ａ、２ｂを一定の形状に保つことができる。また、その環状部材５ａ、５ｂの塑性変形を防止することで、洗濯物１０の型崩れを十分に防止できる。
【００２９】
図１０の（１）、（２）、（３）、（４）は、ネット本体４ａ、４ｂとパイプ状部材６ａ、６ｂとの連結構造の変形例を示す。
図１０の（１）に示す変形例では、パイプ状部材６ａ、６ｂを構成するテープの周縁部は折り返され、その折り返された部分がネット本体４ａ、４ｂとファスナー３のテープ３ａ、３ｂの他側縁に縫い付けられる。
図１０の（２）に示す変形例では、パイプ状部材６ａ、６ｂの内部でネット本体４ａ、４ｂの周縁部が筒状に成形され、そのネット本体４ａ、４ｂの筒状周縁部とパイプ状部材６ａ、６ｂとで環状部材５ａ、５ｂが覆われる。パイプ状部材６ａ、６ｂを構成するテープの周縁部は折り返され、その折り返された部分がネット本体４ａ、４ｂの周縁部とファスナー３のテープ３ａ、３ｂの他側縁に縫い付けられる。
図１０の（３）に示す変形例では、ネット本体４ａ、４ｂの周縁部は、パイプ状部材６ａ、６ｂの外周に沿うように湾曲されると共に、パイプ状部材６ａ、６ｂの内部で筒状に成形され、そのネット本体４ａ、４ｂの筒状周縁部とパイプ状部材６ａ、６ｂとで環状部材５ａ、５ｂが覆われる。パイプ状部材６ａ、６ｂを構成するテープの周縁部は折り返され、その折り返された部分がネット本体４ａ、４ｂの周縁部とファスナー３のテープ３ａ、３ｂの他側縁とに縫い付けられる。
図１０の（４）に示す変形例では、ネット本体４ａ、４ｂの周縁部は、パイプ状部材６ａ、６ｂの外周に沿うように湾曲され、ファスナー３のテープ３ａ、３ｂの他側縁はパイプ状部材６ａ、６ｂの内部に挿入される。パイプ状部材６ａ、６ｂを構成するテープの周縁部は折り返され、その折り返された部分がネット本体４ａ、４ｂの周縁部とファスナー３のテープ３ａ、３ｂの他側縁とに縫い付けられる。
なお、図１０の（１）〜（４）において、破線Ａが縫い付け位置を示す。
【００３０】
図１１の（１）、（２）は、本発明の第２実施形態を示す。上記第１実施形態との相違は、各パイプ状部材６ａ、６ｂにより弾性的に曲げ変形可能な合成樹脂製インナーパイプ４１ａ、４１ｂが覆われ、各インナーパイプ４１ａ、４１により各環状部材５ａ、５ｂが覆われている。また、各パイプ状部材６ａ、６ｂは布製とされる。各環状部材５ａ、５ｂを構成する線状部材は、ネット本体４ａ、４ｂの外周に縫い付けられたパイプ状部材６ａ、６ｂに各インナーパイプ４１ａ、４１ｂを挿通した後に、各インナーパイプ４１ａ、４１ｂに挿通され、しかる後に第１実施形態と同様にして連結される。なお、各インナーパイプ４１ａ、４１ｂの全長は、その線状部材の連結を行うことができるように、環状部材５ａ、５ｂの全長よりも短くされ、各環状部材５ａ、５ｂにおいてインナーパイプ４１ａ、４１ｂにより覆われない部分は、例えば合成樹脂製のテープにより覆われる。他の構成は第１実施形態と同様で、同一部分は同一符号で示す。
【００３１】
各インナーパイプ４１ａ、４１ｂの材料となる合成樹脂として、例えば、塩化ビニル、ポリエチレン、ポリプロピレン、ポリスチレン、アクリル樹脂、ポリカーボネート、ポリアセタール、ポリフェニレンオキサイド、フェノール樹脂、スチレンアクリロニトル、ブタジエン共重合体、ナイロン６、ナイロン６６、三フッ化エチレン樹脂、エポキシ樹脂、ポリフェニリンサルファイド、ポリブチレンテレフタレート等を用いることができる。
【００３２】
上記第２実施形態によれば、環状部材５ａ、５ｂを覆うインナーパイプ４１ａ、４１ｂの材質を合成樹脂とすることで、布製のパイプ状部材６ａ、６ｂが環状部材５ａ、５ｂとの摩擦により破れるのを防止できる。これにより、その環状部材５ａ、５ｂが露出するのを防止できるので、その環状部材５ａ、５ｂとの摩擦により洗濯物１０や洗濯槽２０が傷むのを防止できる。また、その環状部材５ａ、５ｂを構成する線状部材をインナーパイプ４１ａ、４１ｂに挿通する際、その線状部材とインナーパイプ４１ａ、４１ｂとの間の摩擦を低減できるので、組み立て時の生産性を向上できる。
また、そのインナーパイプ４１ａ、４１ｂが弾性的に曲げ変形可能とされているので、環状部材５ａ、５ｂを変形させる曲げモーメントや曲げ力が作用した場合、そのインナーパイプ４１ａ、４１ｂが弾性変形することで、その曲げモーメントや曲げ力を吸収し、環状部材５ａ、５ｂが塑性変形するのを防止し、フレーム付ネット２ａ、２ｂを一定の形状に保つことができる。また、その環状部材５ａ、５ｂの塑性変形を防止することで、洗濯物１０の型崩れを十分に防止できる。他は上記第１実施形態と同様の作用効果を奏する。
【００３４】
【発明の効果】
本発明によれば、洗濯物や洗濯槽の傷付と洗濯物の型崩れを防止できる洗濯用補助具を提供できる。
【００３５】
【実施例】
上記第１実施形態の洗濯用補助具と、第２実施形態の洗濯用補助具と、従来の環状部材を布製パイプ状部材により覆った洗濯用補助具と、比較例の洗濯用補助具とを用いて、次の条件で洗濯を行った。各実施形態の洗濯用補助具と従来例の洗濯用補助具では、各環状部材を構成する線状部材の断面は矩形とした。比較例の洗濯用補助具では、各環状部材を構成する線状部材の断面を図６の変形例に示すように矩形の角を円弧状にした形状とし、それ以外は従来例と同一構成とした。
【００３６】
（洗浄条件）
洗剤濃度：０．１４重量％
使用洗剤：市販液体洗剤
水の硬度：４°ＤＨ
使用洗濯機：松下電器産業株式会社製ＮＡ‐Ｆ６０Ｋ１
洗濯コース：標準コース
洗濯衣料：ウール１００％セーター
【００３７】
第１実施形態の洗濯用補助具で洗濯を行った結果、洗濯累積回数が５０回でパイプ状部材は破損せず、環状部材は殆ど変形しなかった。
第２実施形態の洗濯用補助具で洗濯を行った結果、洗濯累積回数が５０回でパイプ状部材は僅かに摩耗したが破損せず、環状部材は殆ど変形しなかった。
比較例の洗濯用補助具で洗濯を行った結果、洗濯累積回数が１０回でパイプ状部材は破損し、環状部材は変形した。
従来例の洗濯用補助具で洗濯を行った結果、洗濯累積回数が３回でパイプ状部材は破損し、環状部材は変形した。
すなわち、本発明の実施形態によれば、パイプ状部材の破損と環状部材の変形を防止できることを確認できた。
【図面の簡単な説明】
【図１】本発明の第１実施形態の洗濯用補助具の斜視図
【図２】本発明の第１実施形態の洗濯用補助具の洗濯前における平面図
【図３】本発明の第１実施形態の洗濯用補助具の要部の断面図
【図４】本発明の第１実施形態の洗濯用補助具の（１）は連結具の斜視図、（２）は環状部材と連結具の正面図、（３）は環状部材と連結具の断面図
【図５】本発明の第１実施形態の洗濯用補助具における（１）は連結具の変形例の斜視図、（２）は環状部材と連結具の変形例の断面図
【図６】本発明の第１実施形態の洗濯用補助具における環状部材の変形例の断面図
【図７】本発明の第１実施形態の洗濯用補助具のファスナーの正面図
【図８】（１）〜（４）は、本発明の第１実施形態の洗濯用補助具の洗濯槽内での設置状態を示す図
【図９】本発明の第１実施形態の環状部材のコンパクト化の順序を示す図
【図１０】（１）〜（４）は、本発明の第１実施形態の洗濯用補助具におけるネット本体とパイプ状部材の連結部の変形例の断面図
【図１１】本発明の第２実施形態の洗濯用補助具における（１）は要部の断面図、（２）はインナーパイプと環状部材の部分斜視図
【符号の説明】
１  洗濯用補助具
２ａ、２ｂ  フレーム付ネット
３  ファスナー
４ａ、４ｂ  ネット本体
５ａ、５ｂ  環状部材
１０  洗濯物
４１ａ、４１ｂ  インナーパイプ
【図１】
0003586066.tif 000002
【図２】
0003586066.tif 000003
【図３】
0003586066.tif 000004
【図４】
0003586066.tif 000005
【図５】
0003586066.tif 000006
【図６】
0003586066.tif 000007
【図７】
0003586066.tif 000008
【図８】
0003586066.tif 000009
【図９】
0003586066.tif 000010
【図１０】
0003586066.tif 000011
【図１１】
0003586066.tif 000012